(57)【要約】【課題】カバーを変形しにくくしてカバーの剛性を高めた防雨入線カバーを提供する。【解決手段】防雨入線カバーは、ボディ本体１０と固定片２０とを連結して構成され、造営面に設けられた電線挿通用の通線孔に連通する入線部が設けられたボディ１と、下面及び後面が開口した略箱形であって、ボディ１の前面に取着されるカバー３０とを備える。ボディ本体１０には、ボディ本体１０前面との間に隙間を開けて略対向し、カバー３０を前面に沿ってスライドさせると、上記隙間内にカバー３０の被係止片３４が嵌め込まれることで、カバー３０を取着する係止片１３ｂを形成してある。またボディ本体１０には上方に突出する係止凸部１８が形成されており、カバー３０の左右の側壁３２には、カバー３０をボディ本体１０の前面に沿ってスライドさせると、係止凸部１８と凹凸係止することで左右の側壁３２を左右方向において位置決めする係止凹部３６が形成されている。【選択図】図１
2006180630.tif 000002
【特許請求の範囲】
【請求項１】
造営面に設けられた電線挿通用の通線孔に連通して電線を通す入線部を有し、前記通線孔と前記入線部とを連通させた状態で造営面に固定されるボディと、
ボディにおける造営面と対向する背面の周縁に沿ってボディと造営面との間に介装される防水パッキンと、
施工時に下側となる面および後面が開口した略箱形であって、ボディの前面に取着されるカバーとを備え、
カバーの左右の側壁の内側面後端部にそれぞれ内側に突出するカバー取付用の被係止片を形成するとともに、それぞれボディ前面に隙間を開けて略対向し、カバーをボディ前面に沿ってスライドさせると各被係止片がボディ前面との間に嵌め込まれる係止片をボディに形成し、
カバーの各側壁又はボディの内の一方に、カバーのスライド方向および左右方向とそれぞれ略直交する方向に突出する係止凸部を形成するとともに、カバーの各側壁又はボディの内の他方に、カバーをボディ前面に沿ってスライドさせると、係止凸部と凹凸係止することでカバーの各側壁を左右方向において位置決めする位置決め用の係止凹部を形成したことを特徴とする防雨入線カバー。
【請求項２】
係止凸部に、カバー取付時のスライド方向における手前側の端部から反対側の端部に近付くにつれて、突出量が徐々に大きくなる第１傾斜面と、左右方向の幅寸法が徐々に大きくなる第２傾斜面とを設けたことを特徴とする請求項１記載の防雨入線カバー。
【発明の詳細な説明】
【技術分野】
【０００１】
本発明は、建物の外壁に取り付けられて、例えばテレビのアンテナ線や電話線などの電線を屋外から屋内に入線するための防雨入線カバーに関するものである。
【背景技術】
【０００２】
従来より、屋外側の造営面に取着されて、屋外と屋内との間にわたる電線を通線させるブッシングを配設した防雨入線カバーが提案されている（例えば特許文献１参照）。
【０００３】
また、このような防雨入線カバーとしては、図６および図７に示すような構造を有するものも従来より提案されている。尚、以下の説明では特に断りがないかぎり、図７（ａ）に示す向き（施工状態）において上下左右の方向を規定し、図７（ａ）の正面を前面とする。したがって、図７（ｂ）の右端は後端となる。尚、図７（ｂ）では後述の固定片２０を省略して図示してある。
【０００４】
この防雨入線カバーは、造営面に設けられた通線孔と連通して屋外側の電線を屋内に引き込む入線部１２ａが略中央部に設けられるとともに、長手方向の一端側の外部と入線部１２ａを連通する連通部１２ｂが形成され、屋外側の造営面に配設される略平板状に形成された合成樹脂製のボディ本体１０、および、ボディ本体１０の連通部１２ｂを塞ぐように略矩形平板状に形成された合成樹脂製の固定片２０からなるボディ１と、ボディ本体１０及び固定片２０の前面を覆う合成樹脂製のカバー３０と、ボディ本体１０の造営面と略対向する背面の周縁に沿ってボディ本体１０と造営面の間に配置される合成樹脂製の防水パッキン４０と、固定片２０に固定されてカバー３０の下側開口を閉塞し、屋外側の電線を内部に通線させるブッシング５０とで構成される。
【０００５】
ボディ本体１０は、長手方向の一端部（施工状態における下側部）から連通部１２ｂと入線部１２ａとが形成された略平板状のベース部１１を有し、このベース部１１の前面周縁に沿って略コ字状の周壁１３が前方に向かって突出している。またボディ本体１０の長手方向他端側（施工状態における上側部）にある周壁１３の外側面と、ボディ本体１０の長手方向一端側にある左右両側の周壁１３の外側面には、ベース部１１の前面との間に隙間を開けて、ベース部１１前面と略平行な方向に突出する略矩形平板状のカバー取付用の係止片１３ａ，１３ｂ，１３ｂが形成されている。またボディ本体１０の長手方向一端側（連通部１２ｂ側）にある左右両側の周壁１３の内側面には、ベース部１１前面との間に隙間を開け、ベース部１１前面と略平行な方向に突出する略矩形平板状の固定片取付用のリブ１３ｃ，１３ｃが形成されている。またベース部１１の背面には、周縁に沿って略垂直に背面側（造営面側）へ突出する防水パッキン取付用の取付壁１４が設けられ、ベース部１１の長手方向他端側（連通部１２ｂが形成されていない側）には、固定ねじ挿通用のボス孔１５が貫設されている。
【０００６】
固定片２０は、ボディ本体１０の連通部１２ｂを塞ぐように略矩形平板状に形成され、固定ねじ挿通用のボス孔２４が略中央に貫設された主部２１と、主部２１の一端側の前縁から前方に向かって突出するブッシング取付片２２と、主部２１の一端側の後縁から造営面側に突出する突出部２３とを有している。主部２１の左右両側縁からは、ベース部１１前面とリブ１３ｃとの間の係止溝１６内に挿入される一対のガイド片２５が側方に向かって突出し、各ガイド片２５には係止溝１６内に突出する係止突起１６ａと係止する係止凹部２５ａが形成されている。またブッシング取付片２２には、前端縁の中央部をＵ字型に凹没することによって通線用の凹部２２ａが形成されており、この凹部２２ａの周縁に沿って複数個の突起２２ｂが突設されている。
【０００７】
カバー３０は、前面視の形状が略矩形状であって、断面形状が長手方向の一端側（下側）に行くほど前方への突出量が大きくなるように湾曲した主部３１と、主部３１の長手方向の一端部を除く周縁部から背面側に向かって突出する側壁３２とで、後面および下面が開口した略箱状に形成されている。
【０００８】
カバー３０の主部３１および側壁３２には、長手方向一端側の内側面に、ブッシング取付片２２およびブッシング５０の端面に当接するリブ３３が突設されている。また、カバー３０の左右の側壁３２の内側面後端部には、それぞれ内側に向かって突出するカバー取付用の被係止片３４が突設されており、カバー３０をボディ本体１０前面に沿ってスライドさせると、被係止片３４がベース部１１前面と係止片１３ｂとの間の係止溝１７内に嵌め込まれる。各被係止片３４には、係止片１３ｂの後面下側部に突設された係止突起１７ａが嵌合する被係止凹部３５が形成されている。またカバー３０の上側壁３２の内側面後端部にも、ベース部１１前面と係止片１３ａとの間の係止溝に挿入される被係止片（図示せず）が突設されている。
【０００９】
防水パッキン４０は可撓性を有する合成樹脂から、ボディ本体１０の入線部１２ａおよび連通部１２ｂを除く周縁に沿うように形成されており、防水パッキン４０の前面には、ボディ本体１０の取付壁１４が嵌め込まれる溝４１が設けられている。また防水パッキン４０の長手方向一端側（上側）の左右両側と、長手方向他端側の左右の側部には、ボディ本体１０の背面に突設された位置決め突起（図示せず）がそれぞれ挿入される位置決め孔４２が形成されている。この防水パッキン４０は、ボディ本体１０を造営面に施工した状態で通線孔の上側および左右両側の位置でボディ本体１０と造営面との間に介装されており、造営面を流下する雨水などの水が通線孔を通して屋内側へ浸入するのを防止する。
【００１０】
またブッシング５０は絶縁性および可撓性を有する無色透明な材料により形成され、電線が通線される略矩形状の通線部５１と、通線部５１の前端縁を除く周縁から外側に突出するＵ字状の枠部５２とを備えている。通線部５１は枠部５２に比べて薄肉に形成されて撓みやすくなっており、さらに通線部５１には左右方向の略中央に前後方向に沿って切り込み溝５３ａが形成されるとともに、左右方向に沿って延びる２条の切り込み溝５３ｂが前後方向に並べて形成されている。また枠部５２には、ブッシング取付片２２の複数の突起２２ｂがそれぞれ挿通される複数の挿通孔５４が、枠部５２を厚み方向に貫通して形成されている。而して、このブッシング５０を固定片２０に取り付けるに当たっては、ブッシング５０を突起２２ｂが突設された側からブッシング取付片２２に近づけて、ブッシング５０の挿通孔５４に突起２２ｂを挿通し、挿通孔５４から突出する突起２２ｂの先端を潰すことで、ブッシング５０が固定片２０に固定されるのである。
【００１１】
以上説明したような防雨入線カバーを造営面に取り付ける際には、先ずボディ本体１０の位置決め突起を位置決め孔４２に挿通させるとともに、取付壁１４を溝４１に嵌め込むことによってボディ本体１０に防水パッキン４０を取り付ける。次に造営面に設けた通線孔から屋外側に引き出され下方に垂らされた電線が、ボディ本体１０の連通部１２ｂを通して入線部１２ａに導入されるように、ボディ本体１０を造営面に沿って動かすとともに、入線部１２ａが通線孔と連通するようにボディ本体１０を配置した後、ブッシング５０が取着された固定片２０をボディ本体１０に取り付けて連通部１２ｂを閉塞する。
【００１２】
ここで、固定片２０をボディ本体１０に取り付けるに当たっては、固定片２０の左右両側に設けたガイド片２５を、ボディ本体１０の係止溝１６内に下側から嵌め込んで、ガイド片２５の係止凹部２５ａを係止溝１６の係止突起１６ａに係止させることで、固定片２０がボディ本体１０に取り付けられ、連通部１２ｂが固定片２０によって塞がれるのである。この状態でボディ本体１０および固定片２０に形成されたボス孔１５，２４に木ねじよりなる固定ねじを挿通し、造営面に螺着することでボディ本体１０および固定片２０を造営面に固定する。このとき固定片２０の突出部２３は、造営面に当接して防水パッキン４０とともに、ボディ本体１０及び固定片２０の外周縁を囲んで外部からのボディ本体１０背面側への水滴の浸入を防止している。
【００１３】
そして、電線をブッシング５０の通線部５１に通線させた後に、ボディ本体１０の前面側にカバー３０を取り付ける。カバー３０をボディ本体１０に取り付ける際には、カバー３０の背部の開口をボディ本体１０側に向けた状態で、カバー３０をボディ本体１０の前面に沿って上側から下側へスライドさせると、カバー３０の被係止片３４が、ボディ本体１０前面と係止片１３ａ，１３ｂとの間の係止溝内に嵌め込まれて、カバー３０がボディ本体１０に取り付けられるのである。ここで、カバー３０の上側壁３２が上側の周壁１３に当接する位置までカバー３０をスライドさせると、係止片１３ｂの係止突起１７ａが被係止片３４の被係止凹部３５と嵌合して、カバー３０の抜け止めが行われる。
【００１４】
一方、カバー３０をボディ本体１０から取り外す際には、カバー３０をボディ本体１０の前面に沿って上側へスライドさせると、係止片１３ｂの係止突起１７ａと被係止片３４の被係止凹部３５との係止状態が外れるので、カバー３０をボディ本体１０から容易に取り外すことができる。
【特許文献１】特許第３４２２２７５号公報（段落番号［００１２］−［００２７］、及び、第１図）
【発明の開示】
【発明が解決しようとする課題】
【００１５】
上記構成の防雨入線カバーでは、カバー３０の左右の側壁３２が左右方向の外側へ拡開するのを規制する手段を備えていないため、ブッシング５０の通線部５１に通線された電線が左右方向に引っ張られた場合や、カバー３０の前面側から主部３１を背面側へ押圧するような外力が加えられた場合に、左右の側壁３２を左右方向の外側へ拡開させるような外力が加わって、左右の側壁３２が外側に開いたり、変形してしまう可能性があった。
【００１６】
本発明は上記問題点に鑑みて為されたものであり、その目的とするところは、カバーを変形しにくくしてカバーの剛性を高めた防雨入線カバーを提供することにある。
【課題を解決するための手段】
【００１７】
上記目的を達成するために、請求項１の発明は、造営面に設けられた電線挿通用の通線孔に連通して電線を通す入線部を有し、通線孔と入線部とを連通させた状態で造営面に固定されるボディと、ボディにおける造営面と対向する背面の周縁に沿ってボディと造営面との間に介装される防水パッキンと、施工時に下側となる面および後面が開口した略箱形であって、ボディの前面に取着されるカバーとを備え、カバーの左右の側壁の内側面後端部にそれぞれ内側に突出するカバー取付用の被係止片を形成するとともに、それぞれボディ前面に隙間を開けて略対向し、カバーをボディ前面に沿ってスライドさせると各被係止片がボディ前面との間に嵌め込まれる係止片をボディに形成し、カバーの各側壁又はボディの内の一方に、カバーのスライド方向および左右方向とそれぞれ略直交する方向に突出する係止凸部を形成するとともに、カバーの各側壁又はボディの内の他方に、カバーをボディ前面に沿ってスライドさせると、係止凸部と凹凸係止することでカバーの各側壁を左右方向において位置決めする位置決め用の係止凹部を形成したことを特徴とする。
【００１８】
この発明によれば、係止凸部と係止凹部とが凹凸係止することによってカバーの左右の側壁を左右方向において位置決めしているので、カバーに対して両側壁が左右方向の外側へ開くような外力が加わったとしても、係止凸部と係止凹部との凹凸係止によって両側壁が外側へ開くのを抑制でき、カバーの剛性を高めることができる。
【００１９】
請求項２の発明は、請求項１の発明において、係止凸部に、カバー取付時のスライド方向における手前側の端部から反対側の端部に近付くにつれて、突出量が徐々に大きくなる第１傾斜面と、左右方向の幅寸法が徐々に大きくなる第２傾斜面とを設けたことを特徴とする。
【００２０】
この発明によれば、カバーの左右の側壁が外側に開いていたり、撓んでいたとしても、カバー取付時にカバーをボディ前面に沿ってスライドさせると、係止凸部に設けた第１傾斜面および第２傾斜面が係止凹部の端面に当接することによって係止凸部が２つの方向においてガイドされるから、係止凸部を係止凹部と正規の位置で凹凸係止させることができ、カバーの左右の側壁が外側に開いた状態や撓んだ状態でボディに取り付けられるのを防止できるという効果がある。
【発明の効果】
【００２１】
本発明によれば、係止凸部と係止凹部とが凹凸係止することによってカバーの左右の側壁を左右方向において位置決めしているので、カバーに対して両側壁が左右方向の外側へ開くような外力が加わったとしても、係止凸部と係止凹部との凹凸係止によって両側壁が外側へ開くのを抑制でき、カバーの剛性を高めることができる。
【発明を実施するための最良の形態】
【００２２】
以下に本発明の実施の形態を図１〜図５に基づいて説明する。なお、防雨入線カバーの基本的な構造は、上述した図６および図７の防雨入線カバーと同様であるので、共通する構成要素には同一の符号を付してその説明は省略し、本発明の特徴部分に関わる構成のみを以下に説明する。
【００２３】
この防雨入線カバーは、図２に示すように造営面に設けられた電線挿通用の通線孔に連通して電線を通す入線部１２ａが略中央に設けられるとともに、長手方向の一端側に外部と入線部１２ａを連通する連通部１２ｂが設けられ、連通孔と入線部１２ａとを連通させた状態で造営面に固定される合成樹脂製のボディ本体１０、および、ボディ本体１０の連通部１２ｂを塞ぐようにしてボディ本体１０に取着される合成樹脂製の固定片２０からなるボディ１と、施工時に下側となる面および後面が開口した略箱形であって、ボディ１（ボディ本体１０及び固定片２０）の前面に取着される合成樹脂製のカバー３０と、ボディ本体１０における造営面と対向する背面の周縁に沿ってボディ本体１０と造営面の間に介装される合成樹脂製の防水パッキン４０と、固定片２０に固定されてカバー３０の下側開口を閉塞し、屋外側の電線を内部に通線させるブッシング５０とを主要な構成として備える。
【００２４】
ボディ本体１０は、図６に示す従来の防雨入線カバーと同様に、長手方向の一端部（施工状態における下側部）から連通部１２ｂと入線部１２ａとが形成された略平板状のベース部１１を有し、このベース部１１の前面周縁に沿って略コ字状の周壁１３が前方に向かって突出している。またボディ本体１０の長手方向他端側（施工状態における上側部）にある周壁１３の外側面と、ボディ本体１０の長手方向一端側にある左右両側の周壁１３の外側面には、ベース部１１の前面との間に隙間を開けて、ベース部１１前面と略平行な方向に突出する略矩形平板状のカバー取付用の係止片１３ａ，１３ｂ，１３ｂが形成されている。
【００２５】
一方、カバー３０は、前面視の形状が略矩形状であって、断面形状が長手方向の一端側（下側）に行くほど前方への突出量が大きくなるように湾曲した主部３１と、主部３１の長手方向の一端部を除く周縁部から背面側に向かって突出する側壁３２とで、後面および下面が開口した略箱状に形成されている。カバー３０の主部３１および側壁３２には、長手方向一端側の内側面に、ブッシング取付片２２およびブッシング５０の端面に当接するリブ３３が突設されている。また、カバー３０の左右の側壁３２の内側面後端部には、それぞれ内側に向かって突出するカバー取付用の被係止片３４が突設されており、カバー３０をボディ本体１０前面に沿ってスライドさせると、被係止片３４がベース部１１前面と係止片１３ｂとの間の係止溝１７内に嵌め込まれる。各被係止片３４には、係止片１３ｂの後面下側部に突設された係止突起１７ａが嵌合する被係止凹部３５が形成されている。またカバー３０の上側壁３２の内側面後端部にも、ベース部１１前面と係止片１３ａとの間の係止溝に挿入される被係止片（図示せず）が突設されている。
【００２６】
さらに本実施形態では、図１及び図２に示すようにボディ本体１０の長手方向一端側にある左右両側の周壁１３に、カバー３０のスライド方向および左右方向とそれぞれ略直交する方向（前方）に突出する係止凸部１８を突設するとともに、カバー３０の左右両側壁３２に設けたリブ３３の後縁に、カバー３０をボディ本体１０前面に沿ってスライドさせると、係止凸部１８と凹凸係止することでカバー３０の左右の側壁３２を左右方向において位置決めする位置決め用の係止凹部３６を形成してある。
【００２７】
ここで、カバー３０をボディ本体１０に取り付けるに当たっては、カバー３０の背部の開口をボディ本体１０側に向けた状態で、カバー３０をボディ本体１０の前面に沿って上側から下側へスライドさせると、カバー３０の被係止片３４が、ボディ本体１０前面と係止片１３ａ，１３ｂとの間の係止溝内に嵌め込まれて、カバー３０がボディ本体１０に取り付けられるのである。そして、カバー３０の上側壁３２が上側の周壁１３に当接する位置までカバー３０をスライドさせると、係止片１３ｂの係止突起１７ａが被係止片３４の被係止凹部３５と嵌合して、カバー３０の抜け止めが図られる。一方、カバー３０をボディ本体１０から取り外す際には、カバー３０をボディ本体１０の前面に沿って上側へスライドさせると、係止片１３ｂの係止突起１７ａと被係止片３４の被係止凹部３５との係止状態が外れるので、カバー３０をボディ本体１０から容易に取り外すことができる。
【００２８】
ここで、カバー３０の取付完了状態においては、カバー３０の係止凹部３６とボディ本体１０の係止凸部１８とが凹凸係止するので、カバー３０の左右の側壁３２が左右方向において位置決めされる。したがって、図３（ａ）に示すように、ブッシング５０の通線部５１に通線された電線１００に対して左右方向の張力Ｂが加えられたために、左側の側壁３２を外側へ拡開させるような力が加わったり、図３（ｂ）に示すように前面側から主部３１を背面側へ押圧するような外力Ｃが加えられたために、左右の側壁３２を外側へ拡開させるような外力が加わったとしても、係止凹部３６と係止凸部１８とが凹凸係止することによって、左右の側壁３２が左右方向において位置決めされているから、左右の側壁が外側に開きにくくなり、カバー３０の剛性を高めることができる。
【００２９】
なお本実施形態において、図４（ａ）（ｂ）に示すように、係止凸部１８に、カバー取付時のスライド方向における手前側（上側）の端部から反対側（下側）の端部に近付くにつれて、前方への突出量が徐々に大きくなる第１傾斜面１８ａと、左右方向の幅寸法が徐々に大きくなる第２傾斜面１８ｂとを形成するのも好ましい。この場合、カバー３０の左右の側壁３２が外側に開いていたり、撓んでいたとしても、カバー３０をボディ本体１０の前面に沿って上側から下側へスライドさせると、係止凸部１８に設けた第１傾斜面１８ａおよび第２傾斜面１８ｂが係止凹部３６の端面と当接することによって係止凸部１８が２つの方向（前後方向および左右方向）においてガイドされ、係止凸部１８が係止凹部３６と正規の位置で凹凸係止させることができ、したがって、カバー３０の左右の側壁３２が外側に開いた状態や撓んだ状態でボディ本体１０に取り付けられるのを防止することできる。ここで、係止凸部１８に２つの傾斜面１８ａ，１８ｂを形成しているので、両傾斜面１８ａ，１８ｂが係止凹部３６の端面と当接することで、傾斜面１８ａを前後方向および左右方向の２つの方向においてそれぞれガイドすることが可能であるが、何れか一方の傾斜面のみを形成しても良い。
【００３０】
また本実施形態では、リブ３３の後端縁の側壁３２寄りの部位に係止凹部３６を形成しているが、図５に示すようにリブ３３の後端縁の略中央に形成しても良い。但し、リブ３３が薄肉のため、本実施形態のように側壁３２寄りの部位に係止凹部３６を形成した方がリブ３３の強度が高くなるという利点がある。
【００３１】
また本実施形態では、ボディ本体１０に、カバー３０のスライド方向および左右方向とそれぞれ略直交する方向に突出する係止凸部１８を形成するとともに、カバー３０の左右の側壁３２に、カバー３０をボディ本体１０の前面に沿ってスライドさせた際に係止凸部１８と凹凸係止する係止凹部３６を形成しているが、カバー３０の左右の側壁３２に係止凸部を設けるとともに、ボディ本体１０にカバー３０を取り付けた際にカバー３０の係止凸部と凹凸係止する係止凹部をボディ本体１０に設けるようにしても良いことは言うまでもない。
【図面の簡単な説明】
【００３２】
【図１】本実施形態の防雨入線カバーを示し、（ａ）は図３（ｂ）のＡ部拡大図、（ｂ）は要部側面図である。
【図２】同上の外観斜視図である。
【図３】（ａ）（ｂ）は同上の使用状態の説明図である。
【図４】同上に用いるボディを示し、（ａ）は一部拡大せる正面図、（ｂ）は一部拡大せる側面図、（ｃ）は一部拡大せる下面図である。
【図５】同上の他の構成を示す要部拡大図である。
【図６】従来の防雨入線カバーの分解斜視図である。
【図７】従来の防雨入線カバーを示し、（ａ）はカバーの取付途中の正面図、（ｂ）はカバーの取付途中の側面図、（ｃ）は下面図である。
【符号の説明】
【００３３】
１    ボディ
１０  ボディ本体
１３ｂ  係止片
１８  係止凸部
２０  固定片
３０  カバー
３２  側壁
３４  被係止片
３６  係止凹部
【図１】
2006180630.tif 000003
【図２】
2006180630.tif 000004
【図３】
2006180630.tif 000005
【図４】
2006180630.tif 000006
【図５】
2006180630.tif 000007
【図６】
2006180630.tif 000008
【図７】
2006180630.tif 000009